(57)【要約】      （修正有）【課題】ディスプレイの画面の分割表示を行うためのデバイス、方法及びプログラム・プロダクトを提供する。【解決手段】デバイスは、複数の情報処理デバイス４００と接続するためのインターフェースと、ユーザ操作を受け付けるためのＵＩモジュールと、ディスプレイの表示画面の表示領域を複数の表示領域に分割し、分割した表示領域を、前記複数の情報処理デバイスにそれぞれ割り当て、複数の情報処理デバイスからインターフェースを介して入力される表示情報を前記分割した各表示領域に表示する画面分割モジュールと、を備える。画面分割モジュールは、ＵＩモジュールを介して受け付けたユーザ操作に応答して、前記各表示領域の表示属性を設定する。表示属性は、表示位置及び表示サイズを含むことにしてもよい。【選択図】図２
2017227976.tif 000002
【特許請求の範囲】
【請求項１】
複数の情報処理デバイスと接続するためのインターフェースと、
ユーザ操作を受け付けるためのＵＩモジュールと、
ディスプレイの表示画面の表示領域を複数の表示領域に分割し、分割した表示領域を、前記複数の情報処理デバイスにそれぞれ割り当て、前記複数の情報処理デバイスから前記インターフェースを介して入力される表示情報を前記分割した各表示領域に表示する画面分割モジュールと、
を備え、
前記画面分割モジュールは、前記ＵＩモジュールを介して受け付けたユーザ操作に応答して、前記各表示領域の表示属性を設定し、前記表示属性は、表示位置及び表示サイズを含む、デバイス。
【請求項２】
前記表示属性は、さらに、表示情報の表示方向を含む、請求項１に記載のデバイス。
【請求項３】
前記表示属性は、さらに、表示形状を含む、請求項１に記載のデバイス。
【請求項４】
前記表示属性は、さらに、表示領域に表示される表示情報のミラーリングを含む、請求項１に記載のデバイス。
【請求項５】
前記各表示領域は、オーバラップして表示可能である、請求項１に記載のデバイス。
【請求項６】
前記インターフェースは、ワイヤード又はワイヤレス方式である請求項１に記載のデバイス。
【請求項７】
前記ＵＩモジュールは、リモートコントロール・デバイス、前記デバイスの筐体に設けられた操作ボタン、前記ディスプレイの表示画面に設けられたタッチセンサ、ユーザのジェスチャーを検出するためのセンサ、又は、前記複数の情報処理デバイスに搭載されたアプリケーション・プログラムを介して、前記ユーザ操作を受け付ける請求項１に記載のデバイス。
【請求項８】
ユーザ操作を受け付けること、
ディスプレイの表示画面の表示領域を複数の表示領域に分割し、分割した複数の表示領域を、インターフェースを介して接続される複数の情報処理デバイスにそれぞれ割り当てること、
前記ユーザ操作に応答して、前記割り当てられた各表示領域の表示属性を設定すること、前記表示属性は、表示位置及び表示サイズを含み、
前記表示属性が設定された各表示領域に、前記複数の情報処理デバイスから入力される表示情報を表示させこと、
を含む、方法。
【請求項９】
プロセッサが実行可能なコードを記憶するコンピュータが読み取り可能な記録媒体を備え、
前記実行可能なコードは、
ユーザ操作を受け付けること、
ディスプレイの表示画面の表示領域を複数の表示領域に分割し、分割した複数の表示領域を、インターフェースを介して接続される複数の情報処理デバイスにそれぞれ割り当てること、
前記ユーザ操作に応答して、前記割り当てられた各表示領域の表示属性を設定すること、前記表示属性は、表示位置及び表示サイズを含み、
前記表示属性が設定された各表示領域に、前記複数の情報処理デバイスから入力される表示情報を表示させること、
を実行するためのコードを含む、プログラム・プロダクト。
【発明の詳細な説明】
【技術分野】
【０００１】
本開示は、ディスプレイの画面の分割表示を行うためのデバイス、方法、及びプログラム・プロダクトに関する。
【背景技術】
【０００２】
ディスプレイは、各種の場所及び用途で使用されている。ディスプレイは、コンピュータ・システム、テレビ（インターネットＴＶを含む）等の多くのデバイスで使用される。
ディスプレイは、各種表示方式（例えば、液晶デバイス、有機ＥＬデバイス、プラズマデバイス、ＣＲＴ等）、各種サイズ（例えば、大型、中型、小型等）及び各種設置タイプ（例えば、壁掛け、平置き、携帯型）のものがある。
【０００３】
例えば、テレビジョン用のディスプレイでは、１つの画面を２つに分割し、２つのｃｈのテレビジョン放送を分割された各画面に表示するものもある。しかしながら、現在のディスプレイは、分割する画面の数、分割する画面のサイズ及び位置等が固定のものが多いため、ユーザが自由に分割画面のサイズや位置等を設定することができない。そのため、ユーザビリティが高くなかった。
【発明の概要】
【課題を解決するための手段】
【０００４】
ここでは、画面の分割表示を行うためのデバイス、方法、及びプログラム・プロダクトが開示される。一実施態様では、画面の分割表示を行うデバイスは、複数の情報処理デバイスと接続するためのインターフェースと、ユーザ操作を受け付けるためのＵＩモジュールと、ディスプレイの表示画面の表示領域を複数の表示領域に分割し、分割した表示領域を、前記複数の情報処理デバイスにそれぞれ割り当て、前記複数の情報処理デバイスから前記インターフェースを介して入力される表示情報を前記分割した各表示領域に表示する画面分割モジュールと、を備え、前記画面分割モジュールは、前記ＵＩモジュールを介して受け付けたユーザ操作に応答して、前記各表示領域の表示属性を設定し、前記表示属性は、表示位置及び表示サイズを含んでいてもよい。
【０００５】
他の実施態様では、前記表示属性は、さらに、表示情報の表示方向を含んでいてもよい。
【０００６】
他の実施態様では、前記表示属性は、さらに、表示形状を含んでいてもよい。
【０００７】
他の実施態様では、前記表示属性は、さらに、表示領域に表示される表示情報のミラーリングを含んでいてもよい。
【０００８】
他の実施態様では、前記各表示領域は、オーバラップして表示可能であることにしてもよい。
【０００９】
他の実施態様では、前記インターフェースは、ワイヤード又はワイヤレス方式であることにしてもよい。
【００１０】
他の実施態様では、前記ＵＩモジュールは、リモートコントロール・デバイス、前記デバイスの筐体に設けられた操作ボタン、前記ディスプレイの表示画面に設けられたタッチセンサ、ユーザのジェスチャーを検出するためのセンサ、又は、前記複数の情報処理デバイスに搭載されたアプリケーション・プログラムを介して、前記ユーザ操作を受け付けることにしてもよい。
【００１１】
また、別の実施態様では、画面の分割表示を行うための方法は、ユーザ操作を受け付けること、ディスプレイの表示画面の表示領域を複数の表示領域に分割し、分割した複数の表示領域を、インターフェースを介して接続される複数の情報処理デバイスにそれぞれ割り当てること、前記ユーザ操作に応答して、前記割り当てられた各表示領域の表示属性を設定すること、前記表示属性は、表示位置及び表示サイズを含み、前記表示属性が設定された各表示領域に、前記複数の情報処理デバイスから入力される表示情報を表示させること、を含んでいてもよい。
【００１２】
また、別の実施態様では、画面の分割表示を行うためのプログラム・プロダクトは、プロセッサが実行可能なコードを記憶するコンピュータが読み取り可能な記録媒体を備え、前記実行可能なコードは、ユーザ操作を受け付けること、ディスプレイの表示画面の表示領域を複数の表示領域に分割し、分割した複数の表示領域を、インターフェースを介して接続される複数の情報処理デバイスにそれぞれ割り当てること、前記ユーザ操作に応答して、前記割り当てられた各表示領域の表示属性を設定すること、前記表示属性は、表示位置及び表示サイズを含み、前記表示属性が設定された各表示領域に、前記複数の情報処理デバイスから入力される表示情報を表示させること、を実行するためのコードを含んでいてもよい。
【図面の簡単な説明】
【００１３】
概略的に前述した実施形態については、添付の図面に示す具体的な実施形態を参照して、より詳細に説明する。図面は一部の実施形態のみを示すため本開示の範囲を限定するものではないことを前提として、添付の図面を用いて、より具体的かつ詳細に実施形態について説明する。  
【００１４】
【図１】図１は、実施形態に係る画面分割用システムの外観の一例を示す図である。
【図２】図２は、実施形態に係る画面分割用システムのブロック図の一例を示す図である。
【図３】図３は、実施形態に係る画面分割用システムの表示例を説明するための図である。
【図４】図４は、実施形態に係る画面分割表示の手順の一例を説明するためのフローチャートである。
【図５】図５は、実施形態に係る画面分割用のサブメニュー画面の一例を説明するための図である。
【図６】図６は、実施形態に係るディスプレイの表示例を説明するための図である。
【図７】図７は、実施形態に係るディスプレイの表示例を説明するための図である。
【図８】図８は、実施形態に係るディスプレイの表示例を説明するための図である。
【図９】図９は、実施形態に係るディスプレイの表示例を説明するための図である。
【図１０】図１０は、実施形態に係るディスプレイの表示例を説明するための図である。
【発明を実施するための形態】
【００１５】
当業者には明らかなように、実施形態の態様は、デバイス、方法、及びプログラム・プロダクトとして具体化が可能である。それに応じて、実施形態は、完全にハードウェアの実施形態、完全にソフトウェアの実施形態（ファームウェア、常駐ソフトウェア、マイクロコード等を含む）、又は、ソフトウェアとハードウェアの態様を組み合わせた実施形態の形を取ってもよく、本明細書では全体的に、これらのそれぞれを、「回路」、「モジュール」、又は「システム」と呼ぶことがある。
【００１６】
本明細書で説明される多くの機能ユニットは、とりわけ、その実装の独立性を強調する
ために、モジュールとしてラベル表示されている。たとえばモジュールは、超大規模集積
（ＶＬＳＩ）回路又はゲート・アレイ、論理チップなどの既製の半導体、トランジスタ、又は他の個別コンポーネントを備える、ハードウェア回路として実装可能である。モジュールは、フィールド・プログラマブル・ゲート・アレイ、プログラマブル・アレイ論理、プログラマブル論理デバイスなどの、プログラマブル・ハードウェア・デバイス内に実装することもできる。
【００１７】
モジュールは、様々なタイプのプロセッサによって実行するためのソフトウェア内に実
装することもできる。たとえば、実行可能コードの識別されるモジュールは、たとえばオ
ブジェクト、プロシージャ、又は関数として編成可能な、コンピュータ命令の１つまたは複数の物理又は論理ブロックを備えることができる。しかしながら、識別されるモジュールの実行可能コードは、物理的にまとめて配置されるとは限らないが、論理的に結合された場合、モジュールを備え、モジュールの目的を達成する、異なる場所に格納された異なる命令を備えることができる。
【００１８】
実際に、実行可能コードのモジュールは、単一の命令又は多数の命令とすることが可能であり、異なるプログラムの中でもいくつかの異なるコード・セグメントを介して、いくつかのメモリ・デバイスにまたがって分散させることも可能である。同様に、本明細書では、演算データをモジュール内に識別及び図示することが可能であり、任意の好適な形で具体化し、任意の好適なタイプのデータ構造内に編成することが可能である。演算データは、単一のデータ・セットとして集めること、又は、異なるストレージ・デバイス全体にわたることを含む異なる場所にわたって分散させることが可能であり、少なくとも部分的に、システム又はネットワーク上に単なる電子信号として存在することが可能である。モジュール又はモジュールの一部がソフトウェア内に実装される場合、そのソフトウェア部分は、１つ又は複数のコンピュータ読み取り可能媒体上に格納される。
【００１９】
本明細書全体を通じて「一実施形態」、「ある実施形態」、又は同様の用語についての言及は、その実施形態に関連して説明される特定の機能、構造、又は特徴が、本発明の少なくとも１つの実施形態に含まれることを意味する。したがって、本明細書全体を通じて「一実施形態では」、「ある実施形態では」、及び同様の用語の句が出現した場合、すべてが同じ実施形態について言及している可能性があるが、その限りではない。
【００２０】
コンピュータ読み取り可能媒体についての言及は、マシン読み取り可能命令をデジタル
処理装置上に格納することが可能な任意の形を取ることができる。コンピュータ読み取り
可能媒体は、コンパクト・ディスク、デジタル・ビデオ・ディスク、磁気テープ、ベルヌーイ・ドライブ、磁気ディスク、パンチ・カード、フラッシュ・メモリ、集積回路、または他のデジタル処理装置メモリ・デバイスによって、具体化することができる。
【００２１】
さらに、説明される本発明の機能、構造、又は特徴は、１つ又は複数の実施形態において、任意の好適な様式で組み合わせることができる。以下の説明では、本発明の諸実施形態を完全に理解するために、プログラミング例、ソフトウェア・モジュール、ユーザ選択、ネットワーク・トランザクション、ハードウェア・モジュール、ハードウェア回路、ハードウェア・チップなどの、多数の特定の細部が示されている。しかしながら当業者であれば、本発明が、特定の細部のうちの１つ又は複数がない状態でも、あるいは、他の方法、コンポーネント、材料などを使用して、実施可能であることを理解されよう。他の例では、本実施形態の諸態様を不明瞭にしないために、良く知られた構造、材料、又は動作については詳細に図示又は説明していない。
【００２２】
本明細書に含まれる概略フローチャートは、一般に、論理フローチャートとして示されている。したがって、示された順序及びラベル付けされたステップは、本方法の一実施形態を示すものである。例示された方法の１つ又は複数のステップに対する機能、論理、又は効果、あるいはその一部と等価の、他のステップ及び方法が考案できるであろう。加えて、採用されたフォーマット及び記号は、方法の論理ステップを説明するために与えられたものであり、方法の範囲を制限するものではないことが理解されよう。流れ図では様々なタイプの矢印及び線が使用されているが、対応する方法の範囲を制限するものではないことが理解されよう。実際に、方法の論理流れのみを示すために、いくつかの矢印又は他の連結記号を使用することができる。たとえば矢印は、示された方法の列挙されたステップ間の指定されていない持続期間の待機又は監視期間を示すことができる。加えて、特定の方法が実行される順番は、示された対応する諸ステップの順番を守ること、又は守らないことが可能である。
【００２３】
各図面における要素の説明は、継続する図面の要素を参照してもよい。同じ要素の別の実施形態を含め、全ての図面において同じ番号は同じ要素を参照する。  
【００２４】
図１は、画面分割用システム１００の外観の一例を示す図である。画面分割用システム１００は、ディスプレイ２００と、画面分割用デバイス３００と、複数の情報処理デバイス４００と、リモートコントロール・デバイス５００とを備えていてもよい。ディスプレイ２００と画面分割用デバイス３００は、１つの筐体に実装して構成してもよく、また、別個の筐体にそれぞれ実装して構成してもよい。
【００２５】
ディスプレイ２００は、例えば、液晶デバイス、有機ＥＬデバイス、プラズマデバイス、プロジェクターデバイス、及びＣＲＴ等で構成することができる。ディスプレイ２００は、例えば、ハイビジョン、フルハイビジョン、４Ｋ、８Ｋ、１６Ｋ対応の小画面〜大画面の台座型、壁掛け型、及びテーブル型等の各種タイプとすることができる。ディスプレイ２００は、表示用基板上にタッチセンサを搭載して、タッチ操作可能なタッチディスプレイで構成してもよい。また、ディスプレイ２００は、ジェスチャーを検出するためのカメラ等のセンサを搭載して、ジェスチャー操作可能な非接触操作可能なディスプレイで構成してもよい。ディスプレイ２００は、ワイヤード又はワイヤレスで画面分割用デバイス３００とデータ通信可能に接続することができる。
【００２６】
複数の情報処理デバイス４００は、ワイヤード又はワイヤレスで画面分割用デバイス３００とデータ通信可能に接続することができる。複数の情報処理デバイス４００は、ディスプレイ２００に表示したい表示情報を画面分割用デバイス３００に出力する。情報処理デバイス４００は、例えば、スマートフォン、携帯電話端末、タブレット，ノートＰＣ、デスクトップＰＣ、ＤＶＤプレイヤー、ブルーレイプレヤー、ＴＶ（例えば、地上デジタル放送用、ＣＳ用、ＢＳ用、インターネット接続用のテレビ等）用のチューナー、ゲーム機器、デジタル・カメラ、並びに、スマート・ウオッチ、フィットネス・バンド、及び光学的ヘッドマウント・ディスプレー等のウェアラブル・デバイス等である。
【００２７】
画面分割用デバイス３００は、ワイヤード又はワイヤレスで複数の情報処理デバイス４００及びディスプレイ２００とデータ通信可能に接続することが可能に構成されている。画面分割用デバイス３００は、例えば、ディスプレイ２００に分割画面表示させることが可能となっている。画面分割用デバイス３００は、ディスプレイ２００の表示画面２０１を複数の表示領域に分割し、接続される複数の情報処理デバイス４００に分割した表示領域をそれぞれ割り当て、割り当てた表示領域に複数の情報処理デバイス４００から入力される表示情報をそれぞれ表示する。画面分割用デバイス３００は、ユーザ操作に応答して、各表示領域の表示属性を設定することができる。表示属性は、表示位置及び表示サイズを含むことにしてもよい。表示属性は、さらに、表示情報の表示方向、表示形状、及びミラーリングの有無等を含むことにしてもよい。複数の表示領域は、オーバラップして表示してもよい。
【００２８】
画面分割用デバイス３００は、例えば、画面分割用デバイス３００を操作するためのリモートコントローラ装置５００から送信されるコマンドを受信して、ユーザ操作を受け付けることにしてもよい。また、画面分割用デバイス３００の筐体に画面分割用デバイス３００を操作するための操作ボタンを設け、画面分割用デバイス３００は、当該操作ボタンに応じたユーザ操作を受け付けてもよい。また、画面分割用デバイス３００は、ディスプレイ２００の表示画面に設けられたタッチセンサ（タッチパネル）に対するユーザ操作を受け付けてもよい。また、画面分割用デバイス３００は、ディスプレイ２００の表示画面に設けられたタッチセンサ（タッチパネル）に対するユーザ操作を受け付けてもよい。また、画面分割用デバイス３００は、ディスプレイ２００に設けられたセンサで検出されるユーザのジェスチャーをユーザ操作として受け付けてもよい。また、画面分割用デバイス３００は、複数の情報処理デバイス４００にインストールされた、画面分割用デバイス３００を操作するためのアプリケーション・プログラムに対するユーザ操作を受け付けてもよい。
【００２９】
リモートコントロール・デバイス５００は、例えば、ユーザの操作指示に応じたコマンド信号を画面分割用デバイス３００に送出するように構成することができる。画面分割用デバイス３００は、リモートコントロール・デバイス５００からのコマンド信号に従って各種の処理を実行してもよい。
【００３０】
本実施形態では、画面の分割は、画面内に設けた複数の表示領域の各境界が必ずしも重ならない態様と、画面を横方向及び／縦方向の分割線で分割して各表示領域の境界が重なる態様の両方を含むが、以下では、各表示領域の境界が重ならない場合について説明する。
【００３１】
図１に示す例では、情報処理デバイス４００の一例として、スマートフォン４００Ａ、タブレット４００Ｂ，及びノートＰＣ４００Ｃが画面分割用デバイス３００に接続されている。ディスプレイ２００の表示画面２０１には、スマートフォン４００Ａ、タブレット４００Ｂ，及びノートＰＣ４００Ｃに対応させてそれぞれ表示領域２０１〜２０４が設定されている。上述したように、表示領域２０２〜２０４の表示位置や表示サイズ等の表示属性は、ユーザ操作に応じて設定することができる。表示領域２０２〜２０４には、情報処理デバイス４００Ａ〜Ｃから入力される表示情報が表示されている。
【００３２】
図２は、画面分割用システム１００の機能構成図の一例を示す図である。画面分割用デバイス３００は、ＵＩモジュール３０１と、画面分割モジュール３０２と、ディスプレイ２００と接続するためのインターフェース３０３と、複数の情報処理デバイス４００と接続するための複数のインターフェース３０４とを備えていてもよい。
【００３３】
インターフェース３０３は、ディスプレイ２００と接続してデータを送受信するためのものである。複数のインターフェース３０４は、複数の情報処理デバイス４００とそれぞれ接続して、データを送受信するためのものである。複数のインターフェース３０４は、例えば、Ｎ個のインターフェースであり、ポート１〜ポートＮと称する。画面分割用デバイス３００は、複数のインターフェース３０４の数だけ（ポートの数だけ）、情報処理デバイス４００を接続することができる。
【００３４】
インターフェース３０３及び複数のインターフェース３０４は、例えば、ビデオ・グラフィクス・アレイ（「ＶＧＡ」）、デジタル・ビデオ・インターフェース（「ＤＶＩ」）、高解像度マルチメディア・インターフェース（「ＨＤＭＩ（登録商標）」）、コンポーネント・ビデオ、コンポジット・ビデオ、同軸ビデオ、ディスプレイ・ポート、Ｓビデオ、ＳＣＡＲＴ、Ｄターミナル用のインターフェースとすることができる。また、インターフェース３０３及び複数のインターフェース３０４は、シリアル・ポート接続、ユニバーサル・シリアル・バス（「ＵＳＢ」）、ＩＥＥＥ  １３９４（「FireWire」）、Ｅｔｈｅｒｎｅｔ（登録商標）、Ｂｌｕｅｔｏｏｔｈ（登録商標）、ＩＥＥＥ  ８０２．１１用のインターフェースを使用することができる。画面分割用デバイス３００は、ディスプレイ２００の画面分割のコントロールをすると共に、複数の情報処理デバイス４００のそれぞれに対して、単一の（論理）ディスプレイとして見せ、またそれらを統合し、ディスプレイ２００に対して単一の出力デバイスとして機能してもよい。
【００３５】
ＵＩモジュール３０１は、リモートコントロール・デバイス５００により送信されるコマンド信号を検出するように構成された１つ以上のセンサ及び／又はアンテナ（赤外線センサを含む）を備えていてもよい。ＵＩモジュール３０１は、ディスプレイ２００に提示するメニュー画面（ＵＩ画面）情報や分割画面情報等の画面情報を画面分割モジュール３０２に生成させるように構成することができる。メニュー画面は、メインメニュー画面及び１つ以上のサブメニュー画面を含む階層構造のメニュー構造で編成してもよい。また、メニュー画面は、ポップアップ画面やＧＵＩ画面を含むように構成してもよい。また、メニュー画面では、複数のオプションやそのサブオプションを含むように構成することができ、オプションやサブオプションは可動カーソルでハイライト表示してもよい。
【００３６】
リモートコントロール・デバイス５００は、ユーザが操作指示（選択、決定、カーソルの移動等を含む）を行うためのボタン、スイッチ、及びタッチパッド等を備え、これらに対する操作に応じたコマンド信号を、例えば、赤外線又は高周波により画面分割用デバイス３００のＵＩモジュール３０１に送信するように構成することができる。
【００３７】
リモートコントロール・デバイス５００は、メニュー画面の表示の指示やメニュー画面内で操作（選択、決定、カーソルの移動等を含む）するためのコマンド信号を画面分割用デバイス３００のＵＩモジュール３０１に送出する。ユーザは、リモートコントロール・デバイス５００を操作することで、メニュー画面内で所望の操作を行うことができる。
【００３８】
画面分割モジュール３０２は、ＵＩモジュール３０１からの指示に応じて、ディスプレイ２００に表示させる画面情報（メニュー画面情報や分割画面情報等を含む）を生成して、ディスプレイ２００に出力して表示させる。
【００３９】
画面分割モジュール３０２は、複数のインターフェース３０４に接続される複数の情報処理デバイス４００の数に応じて、ディスプレイ２００の表示画面の表示領域を複数の表示領域に分割する。画面分割モジュール３０２は、分割した表示領域を複数の情報処理デバイス３００にそれぞれ割り当て、複数の情報処理デバイス４００からインターフェース３０４を介して入力される表示情報を各表示領域に表示するための分割画面情報を生成して、ディスプレイ２００に出力する。
【００４０】
さらに、画面分割モジュール３０２は、ＵＩモジュール３０１を介して受け付けたリモートコントロール・デバイス５００のユーザ操作に応答して、各表示領域の表示属性を設定する。表示属性は、例えば、表示位置及び表示サイズが含まれる。すなわち、情報処理デバイス４００のユーザは、リモートコントロール・デバイス５００を操作することで、ディプレイ２００の分割した各表示領域の表示サイズや表示位置を自由に設定することができる。これにより、ユーザビリティが向上する。
【００４１】
図３は、図２の画面分割用システム１００の表示例を説明するための図である。図３に示す例では、ディスプレイ２００の表示画面２０１には、メインメニュー画面２１０が表示されている。例えば、画面分割デバイス３００は、リモートコントロール・デバイス５００のユーザ操作に応答して、メインメニュー画面２１０を表示することができる。メインメニュー画面２１０では、１画面表示と分割画面表示の複数のオプションを選択することができる。ユーザは、リモートコントロール・デバイス５００を操作して、カーソル２２０を移動させて、１画面表示と分割画面表示の一方を選択することができる。ディスプレイ２００には、情報処理デバイス４００が接続されているポートを表示してもよい。図３に示す例では、ポート１〜ポート３に情報処理デバイス４００Ａ，Ｂ，Ｃが接続されている場合を示している。
【００４２】
例えば、１画面表示が選択されると、画面分割デバイス３００は、１画面表示のサブメニュー画面を表示することができる。１画面表示のサブメニュー画面では、例えば、１画面表示を行うポートを選択するための情報を表示することができる。また、例えば、分割画面表示が選択されると、画面分割デバイス３００は、分割画面表示のサブメニュー画面を表示してもよい（図５参照）。分割画面表示のサブメニュー画面では、分割表示する複数の表示領域の表示属性を選択するための情報を表示してもよい。
【００４３】
図４は、画面分割表示の手順の一例を説明するためのフローチャートである。図４において、画面分割モジュール３０２は、ＵＩモジュール３０１がリモートコントロール・デバイス５００のユーザ操作に応じたメニュー画面の表示指示を受け付けると、ディスプレイ２００にメインメニュー画面を表示する（Ｓ１０１）。
【００４４】
画面分割モジュール３０２は、ＵＩモジュール３０１がリモートコントロール・デバイス５００のユーザ操作に応じて、メインメニュー画面で分割画面表示の選択を受け付けると（Ｓ１０２）、分割画面用のサブメニュー画面を表示する（Ｓ１０３）。
【００４５】
画面分割モジュール３０２は、ディスプレイ２００の表示画面２０１を複数の領域に分割し、分割した表示領域に、インターフェース３０４に接続されている複数の情報処理デバイス４００をそれぞれ割り当てる（Ｓ１０４）。
【００４６】
画面分割モジュール３０２は、ＵＩモジュール３０１が受け付けた、分割画面用のサブメニュー画面でのリモートコントロール・デバイス５００のユーザ操作に応じて、各表示領域の表示属性（例えば、表示位置及び表示サイズ）を設定する（Ｓ１０５）。
【００４７】
画面分割モジュール３０２は、表示属性を設定した各表示領域に情報処理デバイス４００から入力される表示情報をそれぞれ表示する（Ｓ１０６）。
【００４８】
図５は、画面分割用のサブメニュー画面の一例を示す図である。図５に示す例では、表示領域を矩形形状（四角形）とした場合を示している。図５に示すように、サブメニュー画面２２０では、ポート１〜ポート３（情報処理デバイス４００Ａ，Ｂ，Ｃ用）の表示領域の表示属性として、表示位置及び表示サイズ（左下座標（０〜Ｘ１００，０〜Ｙ１００）、右上座標（０〜Ｘ１００，０〜Ｙ１００）、回転角度｛表示情報の表示方向（０度〜３６０度）｝、ミラーリングのＯＮ／ＯＦＦの設定項目がユーザ操作により設定可能となっている。図５に示す例では、ポート１〜ポート３の表示領域の表示位置及び表示サイズが設定されている。ＯＫボタンを押すと、設定内容を反映した分割画面がディスプレイ２００の表示画面２０１に表示される。
【００４９】
また、サブメニュー画面２２０内には、この設定項目の設定内容を反映したプレビュー画面２５０が表示される。プレビュー画面２５０では、ポート１〜ポート３（情報処理デバイス４００Ａ，Ｂ，Ｃ用）の表示属性が設定された表示領域に対応する領域２５１、２５２、２５３が表示されている。ユーザは、このプレビュー画面２５０を確認しながら表示属性を設定することで、簡易に設定することができる。なお、プレビュー画面２５０内で領域２５１，２５２，２５３を編集（拡大、縮小、移動、回転角度の設定、ミラーリングのＯＮ／ＯＦＦ設定等）して、表示領域の表示属性を設定可能な構成としてもよい。これにより、ユーザはグラフィカルに表示領域の表示属性を設定することができる。
【００５０】
図６は、図５の表示属性の設定を反映させた分割画面のディスプレイ２００の表示例を示している。図６に示すように、ディスプレイ２００の表示画面２０１には、ポート１〜ポート３に対応する表示領域２６１〜２６３が設定されている。画面分割モジュール３０２は、表示領域２６１〜２６３に、それぞれ、情報処理デバイス４００Ａ〜４００Ｃから入力される表示情報を表示する。表示領域２６１〜２６３には、対応するポートの番号を表することにしてもよい。図５に示す例では、表示領域２６１〜２６３に対応するポートの番号１，２，３が表示されている。
【００５１】
図７は、図５のサブメニュー画面２２０内でポート２の回転方向を１８０度（表示情報の表示方向を反転）に設定した場合のディスプレイ２００の表示例を示している。ポート２に対応する表示領域２６２では、情報処理デバイス４００Ｂから出力される表示情報が反転して表示されている。
【００５２】
図８は、図５のサブメニュー画面２２０内でポート３の表示領域のミラーリングのＯＮを設定した場合のディスプレイ２００の表示例を示している。ポート３に対応する表示領域２６３をミラーリングした表示領域２６４が表示されている。また、ミラーリングした表示領域２６４についても、表示する表示情報の表示方向をユーザが設定可能な構成としてもよい。例えば、ユーザは、正立させた表示情報と反転させた表示情報を同じ画面で表示したい場合もある。
【００５３】
また、複数の表示領域が重なった場合は、オーバラップして表示（レイヤ表示）することにしてもよい。図９は、複数の表示領域をオーバラップして表示した場合のディスプレイ２００の表示例を示している。図９において、表示領域２６１の一部の領域が表示領域２６３にオーバラップして表示されている。上に表示する表示領域は、後から設定された表示領域としてもよい。また、ユーザが上に表示する表示領域を指定可能な構成としてもよい。また、表示領域（ポート）毎に優先度を設定して、優先度が高い表示領域を上に表示してもよい。
【００５４】
表示領域の表示属性として、ユーザ操作に応答して、例えば、矩形形状□、丸形状〇、三角形状△、菱形形状◇等の表示形状を設定可能に構成してもよい。例えば、上記図５に示した画面分割用のサブメニュー画面２２０で設定可能に構成してもよい。
【００５５】
図１０は、表示領域の表示形状を設定した場合の表示例を示している。図１０において、表示領域２６１〜２６２は、それぞれ、表示形状として、丸形状〇、矩形形状□、三角形状△がそれぞれ設定されている。また、表示位置と表示サイズは、例えば、丸形状〇の場合は、中心座標と半径で規定することができる。また、矩形形状□の場合は、図５で説明したように、左下座標と右上座標で規定することができる。また、三角形状△の場合は、３つの頂点の座標で規定することができる。
【００５６】
本発明は、その必須の特徴を逸脱することなく、他の特定の形で具体化することができ
る。説明された諸実施形態は、すべての点において単なる例示的なものであり、限定的な
ものではないとみなされる。したがって本発明の範囲は、前述の説明ではなく添付のクレームによって示される。クレームと等価の意味及び範囲内に入るすべての変更は、それらの範囲内に包含されるものとする。
【符号の説明】
【００５７】
１  画面分割用システム
２００  ディスプレイ
３００  画面分割用デバイス
３０１  ＵＩモジュール
３０２  画面分割モジュール
３０３，３０４  インターフェース
４００  情報処理デバイス
５００  リモートコントロール・デバイス
【図１】
2017227976.tif 000003
【図２】
2017227976.tif 000004
【図３】
2017227976.tif 000005
【図４】
2017227976.tif 000006
【図５】
2017227976.tif 000007
【図６】
2017227976.tif 000008
【図７】
2017227976.tif 000009
【図８】
2017227976.tif 000010
【図９】
2017227976.tif 000011
【図１０】
2017227976.tif 000012